【事件の表示】
　平成３年特許願第１０３８００号「ビデオ表示システムおけるオーバレイの制御装置及び制御方法」拒絶査定に対する審判事件（平成４年８月１７日出願公開、特開平４−２２６４９５）について、次のとおり審決する。
【結論】
　本件審判の請求は、成り立たない。
【理由】
１．手続きの経緯・本願発明
　本願は平成３年４月９日（パリ条約による優先権主張１９９０年５月１０日、米国）に出願され、平成７年１月２０日付けで拒絶査定がなされたところ、平成７年４月２６日付けで審判請求がなされ、同日に手続補正書が提出された。
　そして、請求項に係る発明は、上記審判請求時の手続補正書により補正された明細書及び図面の記載からみて、その特許請求の範囲に記載されたとおりのものと認められるところ、請求項１にかかる発明（以下「本願発明」という）は下記のとおりのものである。
　記
　【請求項１】
　ビデオ表示システムにおいてオーバレイパターンを定義された領域に関連づけるための装置であって、
　複数の表示領域を定義するための手段と、
　前記表示領域に適用されるオーバレイパターンを定義するための手段と、
　前記オーバレイパターンの操作を前記表示領域毎に選択的に制御するための手段と、
　を含むビデオ表示システムにおけるオーバレイの制御装置。
２．引用文献の記載事項
　これに対し、原査定の拒絶の理由に引用した引用文献１には以下のとおりの記載がある。
引用文献１：特開昭６０−１７６０９３号公報
　「複数の画像情報の重ね合せ表示が可能な画像表示装置において、
　画像情報を記憶する複数個の画像メモリと、
複数の画像情報により発生する重ね合せ領域にどの画像情報を表示するかの画像選択情報を記憶する画像選択メモリと、
　前記画像メモリからの画像信号及び画像選択メモリからの画像選択信号に基づき１又は２以上の所望の画像情報を選択する画像表示制御回路と、を含み、
　重ね合せ領域においては、１又は２以上の所望の画像情報が選択表示されることを特徴とする画像表示装置。」（特許請求の範囲）
　「第１図において、画像情報を記憶するために、７個の画像メモリ１０−１〜１０−７が設けられ、更に、複数の画像情報により発生する重ね合せ領域にどの画像情報を表示するかの画像選択情報を記憶するために、画像選択メモリ１２−１〜１２−３が設けられている。画像メモリ１０−１〜１０−７からの画像信号１００−１〜１００−７は、それぞれ、並直列変換器１４−１〜１４−７を介して画像表示制御回路１６に供給され、同様にして、画像選択メモリ１２−１〜１２−３からの画像選択信号１０２−１〜１０２−３は、それぞれ、並直列変換器１８−１〜１８−３を介して画像表示制御回路１６に供給される。そして、画像表示制御回路１６は、画像信号１００−１〜１００−７及び画像選択信号１０２−１〜１０２−３に基づいて所望の画像情報を選択し、表示信号１０４を表示器２０に供給し、これにより、表示器２０の重ね合せ領域においては、所望の画像情報が選択表示されることとなる。
　・・
　第２Ａ，２Ｂ，２Ｃ図には、画像メモリ１０−１，１０−２，１０−３の設定状況が示され、第２Ｄ図には、画像メモリ１０−１，１０−２，１０−３による表示器２０上の重ね合せ領域が示されている。また、第３Ａ，３Ｂ，３Ｃ図には、画像選択メモリ１２−１〜１２−３によるθＶ領域の設定状況が示され、同様に、３Ｄ，３Ｅ，３Ｆ図には、画像選択メモリ１２−１〜１２−３によるθＶ’領域の設定状況が示されている。
　第２Ａ図において、画像メモリ１０−１（以下ＦＭ１０−１という）には画像情報Ａが記憶され、第２Ｂ図において、画像メモリ１０−２（以下ＦＭ１０−２という）には画像情報Ｂが記憶され、同様にして、第２Ｃ図において、画像メモリ１０−３（以下ＦＭ１０−３という）には画像情報Ｃが記憶されている。そして、ＦＭ１０−１，１０−２，１０−３内の画像情報Ａ，Ｂ，Ｃを全て表示器２０上に表示すると、第２Ｄ図に示されるように重ね合せ領域が発生し、第２Ｄ図においては、重ね合せ領域は斜線部で示されている。以下、重ね合せ領域をθＶと記し、画像情報Ｃの重ね合せ領域を特にθＶ’と記す。このθＶ領域の表示パターンには、次の４つの場合がある。
（Ｉ）画像情報Ａを表示する場合、
（ＩＩ）画像情報Ｂを表示する場合、
（ＩＩＩ）θＶ’領域には画像情報Ｃを表示し、θＶ領域からθＶ’領域を差し引いた領域θＶ−θＶ’には画像情報Ａを表示する場合、
（ＩＶ）θＶ’領域には画像情報Ｃを表示し、θＶ領域からθＶ’領域を差し引いた領域θＶ−θＶ’には画像情報Ｂを表示する場合、
　まず、（Ｉ）画像情報Ａを表示する場合について説明する。
　この場合には、予め初期化されている画像選択メモリ１２−３，１２−２，１２−１（以下θＭ１２−３、θＭ１２−２、θＭ１２−１という）により、画像情報Ａの記憶されているＦＭ１０−１の内容をθＶ領域に表示するために、画像選択情報（θＩ−３、θＩ−２、θＩ−１）＝（０，０，１）を画像選択メモリ（θＭ１２−３、θＭ１２−２、θＭ１２−１）のθＶ対応領域（θＶＭ−３、θＶＭ−２、θＶＭ−１）に設定し、すなわち（θＶＭ−３、θＶＭ−２、θＶＭ−１）＝（θＩ−３、θＩ−２、θＩ−１）と設定する。これにより、画像選択メモリ（θＭ１２−３、θＭ１２−２、θＭ１２−１）のθＶ対応領域（θＶＭ−３、θＶＭ−２、θＶＭ−１）では、画像選択情報（θＩ−３、θＩ−２、θＩ−１）は（０，０，１）となり、このため、θＶ領域では、画像情報Ａが表示されることとなる。
　・・
　次に、（ＩＩＩ）θＶ’領域には画像情報Ｃを表示し、θＶ−θＶ’には画像情報Ａを表示する場合について説明する。
　この場合には、前記と同様にして、θＶ−θＶ’領域に画像情報Ａを表示する。更に、画像情報Ｃの記憶されているＦＭ１０−３の内容をθＶ’領域に表示するために、画像選択メモリ（θＭ１２−３、θＭ１２−２、θＭ１２−１）のθＶ’対応領域（θＶ’Ｍ−３、θＶ’Ｍ−２、θＶ’Ｍ−１）では画像選択情報（θＩ−３、θＩ−２、θＩ−１）を（０，１，１）に設定する。これにより、θＶ’領域では、画像情報Ｃが表示されることとなる。
　・・
　以上のように、画像選択メモリ（θＭ１２−３、θＭ１２−２、θＭ１２−１）のθＶ対応領域（θＶＭ−３、θＶＭ−２、θＶＭ−１）、あるいは、θＶ’対応領域（θＶ’Ｍ−３、θＶ’Ｍ−２、θＶ’Ｍ−１）において、画像選択情報（θＩ−３、θＩ−２、θＩ−１）を適当に設定することにより、前記４通りの表示パターンを得ることができる。」（公報２頁右上欄１６行−３頁左下欄最下行）
　「次に、第１図において、画像メモリ（ＦＭ１０−１〜ＦＭ１０−７）、画像選択メモリ（θＭ１２−１〜θＭ１２−３）は、それぞれ並列にラスタスキャン方向に同期し、画像信号１００−１〜１００−７、画像選択信号１０２−１〜１０２−３は、その画素単位にドット情報として読み出され、画像表示制御回路１６に供給される。この画像表示制御回路１６は、第４図に示されるように、判定回路２２と、画像表示回路２４と、を含み、判定回路２２は、画像選択信号１０２−１〜１０２−３に基づき、表示許可信号１０６−１〜１０６−７を画像表示回路２４に供給し、該表示許可信号１０６−１〜１０６−７により、所望の画像信号１００−１〜１００−７を有効状態とすることができる。すなわち、判定回路２２は、画像選択信号１０２−１〜１０２−３の画像選択情報（θＩ−１，θＩ−２，θＩ−３）に基づいて所定の処理を行い、表示許可信号１０６−１〜１０６−７の１又は複数の信号を「１」レベルとして該信号を有効状態とし、これにより、画像表示回路２４では、所望の画像信号１００−１〜１００−７が有効状態となり、所望の選択表示が行われることとなる。
　例えば、画像選択情報（θＩ−３，θＩ−２，θＩ−１）が（０，０，０）である場合には、表示許可信号１０６−１〜１０６−７は全て「１」レベルとなり、全ての画像メモリ１０−１〜１０−７からの画像信号１００−１〜１００−７が表示器２０に供給される。」（公報４頁右上欄１行−左下欄９行）
３．対比
　上記引用文献１の記載において、実施例を参酌すると、各表示領域の選択表示の制御が、各画素位置に対応する、複数の画像選択メモリに記憶されたビットの組み合わせで決定されるから、その動作は画素位置毎に選択表示されている。
　しかし、第２Ａ乃至Ｄもしくは第３Ａ乃至Ｆの図または、公報の「重ね合わせ領域」の表現を参酌すればわかるとおり、各画像の重ね合わせの選択は各表示領域毎に行うことを目的としており、その制御は実質的には表示領域毎に行われているといえる。
　よって、引用文献１には「画像情報を表示する装置で、一つの表示領域に１又は２以上の所望の画像信号が選択表示されるよう、該画像をそれぞれの領域に関連づけるための装置であって、複数の表示領域を有し、前記表示領域に表示される１又は２以上の画像を決定するための手段と、前記１又は２以上の画像の決定が表示領域ごとに異なるように選択可能な制御手段を有する、画像表示装置の１又は２以上の表示を制御する装置」が記載されている。
　そして、本願発明と上記引用文献１に記載された発明とを対比すると、ビデオ表示も画像情報表示の一つであり、また、当該技術分野において、２以上の画像を重ね合わせて表示することをオーバレイ表示ということは明らかであるから、引用文献１の「画像情報を表示する装置」、「一つの表示領域に１又は２以上の所望の画像信号が選択表示されるよう、該画像をそれぞれの領域に関連づけるための装置」、「複数の表示領域を有し」、「前記表示領域に表示される１又は２以上の画像を決定するための手段」、「前記１又は２以上の画像の決定が表示領域ごとに異なるように選択可能な制御手段」、「画像表示装置の１又は２以上の表示を制御する装置」は、それぞれ、本願発明の「ビデオ表示システム」、「オーバレイパターンを定義された領域に関連づけるための装置」、「複数の表示領域を定義」、「前記表示領域に適用されるオーバレイパターンを定義するための手段」、「前記オーバレイパターンの操作を前記表示領域毎に選択的に制御するための手段」、「ビデオ表示システムにおけるオーバレイの制御装置。」に相当するから、本願発明と上記引用文献１に記載された発明とは「ビデオ表示システムにおいてオーバレイパターンを定義された領域に関連づけるための装置であって、複数の表示領域を定義しており、前記表示領域に適用されるオーバレイパターンを定義するための手段と、前記オーバレイパターンの操作を前記表示領域毎に選択的に制御するための手段と、を含むビデオ表示システムにおけるオーバレイの制御装置。」
である点で一致し、下記の点で相違する。
　記
▲１▼本願発明のものは複数の表示領域を定義するための手段があるのに対し、上記引用文献１のものは、手段として格別記載されていない点。
４．上記相違点に対する当審の判断
ａ．相違点▲１▼について
　上記装置において複数の表示領域があれば、該表示領域はどの範囲であるかを定義するための表示領域を定義するための手段が必要であることは自明のことであるから、上記相違点▲１▼のように「定義するための手段」を設けることは当業者が任意になし得たことである。
　なお、出願人は審判請求時に「本願発明におけるオーバレイパターンは、複数の表示領域（ウィンドゥ）に適用されるもので、その表示領域毎に（請求項１）・・選択的に制御されるようになっており、明らかに引用例に記載の如き画像同士ないしウィンドゥ同士の重ね合わせとは異なっている」と主張している。
　しかし、当該技術分野において、通常、一つの画像領域に複数の画像信号を重ねて表示することをオーバーレイ表示ということから、上記引用文献１に記載された２以上の表示を行うことが、本願発明のオーバーレイに相当すると認められるのは上記のとおりである。
　そして、上記引用文献１の実施例を見れば、各画像の表示領域において、選択しうる画像表示のパターンとして、各画像メモリの中から一つのみを選択して該画像を表示する、もしくは、各画像メモリに記憶された画像を全て選択して表示する、のいずれかが選択できるようになっている。したがって、一つの画像表示領域に複数の画像メモリの画像信号から任意の複数画像を組み合わせてオーバーレイ表示を行うようにすることは、上記引用文献に記載された画像選択の組み合わせを単に変えるだけのことであり、該一つの画像表示領域に、複数の画像メモリの画像信号から任意の複数画像を組み合わせて、オーバーレイ表示を行うようにすることは当業者が任意設計し得た事項であり、したがって、複数の表示領域で、かつ、任意の画像信号の組み合わせでオーバレイ表示を可能とすることも当業者が任意になし得たことであるから、請求人の上記主張は採用に足らないものである。
　そして、本願発明の奏する作用効果は、引用文献１に記載された発明から予測しうる程度のものである。
５．むすび
　以上のとおりであるから、本願発明は上記引用文献１に記載の発明から当業者が容易に発明することができたものであり、特許法第２９条第２項の規定により特許を受けることができない。
　よって、結論のとおり審決する。